(57)【特許請求の範囲】
【請求項１】
給油所の給油エリアに面する位置に配置した計量機の機器番号、選択された油種及び動作開始と終了の信号を含む給油状態情報、及びサービスエリアに面した位置に配置したサービス機器の機器番号、選択された機器種類及び動作開始と終了の信号を含むサービス状態情報を電波として発信する送信機と、この送信機から発信される給油状態情報あるいはサービス状態情報を受信したとき、その受信した順番に前記計量機の機器番号、選択された油種及び動作開始と終了の信号を含む給油状態情報、または前記サービス機器の機器番号、選択された機器種類及び動作開始と終了の信号を含むサービス状態情報を、動作終了まで状態報知する給油所の作業員が着ける携帯性を有する報知器とを備えたことを特徴とする給油所用携帯報知装置。
【発明の詳細な説明】
【０００１】
【発明の属する技術分野】
本発明は、自動車へ燃料油を給油したり、各種オイルを交換したり、あるいは洗車を行う給油所において、特に、各機器の作動状態を把握でき少ない作業員で作業できるようにした給油所用携帯報知装置に関するものである。
【０００２】
【従来の技術】
近年の給油所では、人手を少なくするために給油エリアで給油開始時に計量機の給油ノズルを自動車の給油口に挿入し、給油終了で給油ノズルを計量機に掛けるなどの危険が伴う給油作業だけを１人または２人の作業員により行い、給油終了後には顧客が識別カードなどを持って同じ給油所にある事務所内に出向き、その識別カードに基づいて精算業務を行う１人の作業員により給油代金の精算を行う給油所が主流となってきている。
【０００３】
本出願人は、プリセット給油、または満タン給油を行う自動給油停止機能を備えた計量機、及びサービス機器の作動状況を事務所の壁などに設けられたランプに給油停止・給油終了または動作開始・動作終了を表す点灯または点滅により給油状態またはサービス状態を把握するための屋外表示器を設けた給油所を提案している。
【０００４】
【発明が解決しようとする課題】
上記の給油所は、屋外の作業員が目視により容易に確認できる点で有効であるが、例えば、トラックや計量機の陰となって屋外表示器が見えなくなるおそれがあった。そのために、給油中あるいはサービ機器の使用中の顧客に不快感を与えたり、顧客の回転が悪くなり収益が減少する原因になることがあった。
【０００５】
本発明は上記事情に鑑みなされたもので、計量機の給油状態とサービス機器の作業状態とをどこにいても容易に把握することができ、少ない作業員で作業することができる給油所用携帯報知装置を提供することを目的とする。
【０００６】
【課題を解決するための手段】
上記目的を達成するために、本発明の給油所用携帯報知装置は、給油所の給油エリアに面する位置に配置した計量機の機器番号、選択された油種及び動作開始と終了の信号を含む給油状態情報、及びサービスエリアに面した位置に配置したサービス機器の機器番号、選択された機器種類及び動作開始と終了の信号を含むサービス状態情報を電波として発信する送信機と、この送信機から発信される給油状態情報あるいはサービス状態情報を受信したとき、その受信した順番に前記計量機の機器番号、選択された油種及び動作開始と終了の信号を含む給油状態情報、または前記サービス機器の機器番号、選択された機器種類及び動作開始と終了の信号を含むサービス状態情報を、動作終了まで状態報知する給油所の作業員が着ける携帯性を有する報知器とを備えたことを特徴とするものである。送信機から送信される計量機の給油状態情報およびサービス機器のサービス状態情報を携帯性を有する報知器で状態報知することで、作業員が報知器を携帯しどこにいても給油状態や作業状態を把握することが容易にでき、少ない作業員で作業することができる。
【０００９】
【発明の実施の形態】
以下、本発明を図示の一実施形態により具体的に説明する。図１〜図３は本発明実施形態の給油所用携帯報知装置を説明する図であり、図１は給油所設備の一部を断面で示す斜視図、図２は給油所の全体を説明する平面図、図３は報知器の構成を説明するブロック図である。
【００１０】
これらの図において、自動車に燃料油を供給したり、オイル交換を行ったり、洗車作業を行う給油所Ｓには、複数のアイランドＭ，Ｍが設けられ、このアイランドＭの前面には進入路１と、この進入路１に連接した給油エリア２と、この給油エリア２に連接した退出路３とが設けられている。アイランドＭの給油エリア２に面した位置には、計量機１０と屋外端末機２０とが配置され、退出路３に面した位置には走行可否表示機３０が配置されている。また、給油所敷地内の所定の洗車エリア５に面した位置には、自動車を洗車する洗車機４０が配置され、他の給油所敷地内の所定のエリア６に面した位置の整備室Ｒには、エンジンオイルやトルコンオイルを交換するオイル交換機５０が配置されている。一方、給油所敷地内の事務所となる建屋Ｔ内には、屋内端末機６０とこの屋内端末機６０に接続された送信機６１が設けられ、建屋Ｔの外壁などのように各給油エリア２、洗車エリア５及び他のエリア６から見える位置には、動作状態を報知する状態報知器７０が設けられている。上述した各機器１０、２０、３０、４０、５０、６０及び７０は、信号線４で接続されている。そして、作業員は送信機６１から送信されてくる状態情報を受信して報知する報知器８０を携帯する。
【００１１】
アイランドＭの給油エリア２に面した位置に設けられた計量機１０は、プリセット給油または満タン給油を行う自動給油停止機能を備え、レギュラガソリンとハイオクガソリンと軽油の３油種の給油系統が組み込まれている。各油種の給油系統の給油管１０ａには、ポンプ１０ｂ及び流量計１０ｃが介装され、給油管１０ａには先端に給油ノズル１０ｄを取り付けた給油ホース１０ｅが接続され、給油ノズル１０ｄのノズル掛け１０ｆには給油ノズル１０ｄの掛け外しを検知するノズルスイッチ１０ｇと給油ランプ１０ｈが設けられ、上部には給油量表示器１０ｉが設けられている。そして、計量機１０の制御部１０ｊは、屋内端末機６０から給油許可信号を受けて許可された油種の給油ランプ１０ｈを点灯し、ノズルスイッチ１０ｇからのノズル外し信号を受けて給油量表示器１０ｉに表示されていた前回の給油量を帰零し、ポンプ１０ｂを駆動し、給油開始信号を屋内端末機６０へ出力する。給油中は流量計１０ｃからの流量信号を演算し、演算された給油量を給油量表示器１０ｉに表示し、流量信号を屋内端末機６０へ出力する。自動給油停止機能により給油が終了した後、ノズルスイッチ１０ｇからのノズル掛け信号を受け、ポンプ１０ｂの駆動を停止し、給油ランプ１０ｈを消灯し、給油終了信号を屋内端末機６０へ出力するようになっている。
【００１２】
屋外端末機２０には、データ入出力機２０ａと自動精算機２０ｂが設けられている。そして、制御部２０ｃは、データ入出力機２０ａのキーボード２０ｄで入力された油種や給油量などを設定データ信号として屋内端末機６０へ出力し、給油終了後には屋内端末機６０から入力する給油データに基づき、貨幣投入口２０ｅへ金額を挿入し、残金を釣銭放出口２０ｆより放出し、プリンタ２０ｇより給油伝票を発行し、精算終了信号を屋内端末機６０へ出力するようになっている。なお、精算作業を後に詳細に説明する屋内端末機６０で行うことができ、この場合には自動精算機２０ｂを使用しない。
【００１３】
アイランドＭの退出路３に面した位置に設けられている走行可否表示機３０は、アイランドＭに立設された支柱３０ａと、この支柱３０ａの上部に取り付けられた表示体３０ｂとより構成されている。そして、屋内端末機６０から走行不可信号が入力すると表示体３０ｂを水平の走行不可位置へ回動し、走行可信号が入力すると表示体３０ｂを垂下した走行可位置へ回動するようになっている。
【００１４】
所定の給油所敷地内の洗車エリア５に面した位置に設けられた洗車機４０は、敷地上に敷設された２本のレール４０ｂ，４０ｂ上を停車している自動車を跨いで往復移動する門型に形成されたた洗車機本体４０ａで構成されている。この洗車機本体４０ａの一方の脚体の正面側に設けられたキーボード４０ｃで、例えば、水洗い工程→シャンプ工程→ワックス工程→乾燥工程などの所定の洗車工程を設定し、始動スイッチをオンすると、制御装置４０ｄは各部を制御して動作を開始すると同時に屋内端末機６０へ設定データ信号と動作開始信号とを出力する。そして、所定の設定された工程を終了すると制御装置４０ｄは、屋内端末機６０へ精算データ信号と動作終了信号とを出力し、それに続いてキーボード４０ｃで終了スイッチをオンすると、作業終了信号を屋内端末機６０へ出力する。
【００１５】
整備室Ｒ内に配置されているオイル交換機５０は、例えば、エンジンオイル交換機あるいはトルコンオイル交換機であり、交換機本体５０ａに設けられたホース５０ｂでオイル交換するように構成されている。この交換機本体５０ａの正面側に設けられたキーボード５０ｃで、例えば、油種選択やコース選択などの初期設定し、始動スイッチをオンすると、制御装置５０ｄは各部を制御して動作を開始すると同時に屋内端末機６０へ設定データ信号と動作開始信号とを出力する。そして、例えば、エンジンオイル交換機ではオイル抜取り量と同量の新しいオイルを供給したとき、トルコンオイル交換機では設定量の新しいオイルを供給したときなどの、所定の設定された工程を終了すると制御装置５０ｄは、屋内端末機６０へ精算データ信号と動作終了信号とを出力し、続いてキーボード５０ｂで終了スイッチをオンすると、作業終了信号を屋内端末機６０へ出力する。
【００１６】
建屋Ｔ内に設けられている屋内端末機６０は、キーボード６０ａと表示器６０ｂと伝票発行を行うプリンタ６０ｃなどを有するＰＯＳが使用され、その制御部６０ｄは、各機器からの信号を受信して、燃料油供給のための計量機１０に関する信号か、あるいは洗車機４０やオイル交換機５０などのサービス機器に関する信号かの機器判別を行った後、その判別結果に応じてそれぞれ以下に説明する処理を行う。
【００１７】
すなわち、制御部６０ｄは、計量機１０に関する信号として、屋外端末機２０から設定データ信号を受けて給油可否の判断をし、給油許可信号を計量機１０へ、走行不可信号を走行可否表示機３０へ出力する。そして、計量機１０からの給油開始信号を受けてこの計量機１０の給油データの管理をし、給油中信号を状態報知器７０へ出力し、計量機１０からの流量信号を受けて給油データを演算し、プリセット量に達して流量信号の入力が停止したときに作業報知信号を状態報知器７０へ出力する。また、自動精算機２０ｂを使用するときに、給油終了信号を受けて給油データ信号を屋外端末機３０へ出力し、給油終了の作業報知信号を状態報知器７０へ出力する。さらに、屋外端末機２０からの精算終了信号を受けて走行可信号を走行可否表示機３０へ出力するようになっている。なお、屋内端末機６０が、給油終了信号を受けて給油データ信号に基づき精算処理を行うときには、給油データ信号を屋外端末機３０へ出力せず、精算終了後に走行可信号を走行可否表示機３０へ出力するようになっている。
【００１８】
また、屋内端末機６０の制御部６０ｄは、サービス機器に関する信号として、洗車機４０やオイル交換機５０から、設定データ信号とともに動作開始信号を受けてサービス機器のデータの管理をし、作業報知信号を状態報知器７０へ出力し、精算データ信号とともに動作終了信号を受けて作業報知信号を状態報知器７０へ出力し、続いて作業終了信号を受けて作業報知信号を状態報知器７０へ出力する。そして、制御部６０ｄは、精算データ信号に基づいて精算処理を行い伝票発行を行う。
【００１９】
建屋Ｔ内の屋内端末機６０に接続されている送信機６１は、制御部６０ｄの制御のもとに、計量機番号、洗車機番号及びオイル交換機番号に関する情報とともに、それぞれの計量機の給油開始信号、給油終了信号、精算終了信号またはサービス機器の動作開始信号、動作終了信号、作業終了信号をアンテナ６２を介して電波で送信する部分である。この送信機６１は、例えば、コードレスホンなどの免許がいらない出力が１０ｍｗ以下の直進で約２００ｍ程度まで電波が届く小電力無線機である。
【００２０】
建屋Ｔの外壁などに設けられている状態報知器７０は、そのケース７０ａの前面には、計量機番号７０ｂと、オイル交換機番号７０ｃと、洗車機番号７０ｄとが記され、それぞれの番号に対応して表示灯７０ｅ，７０ｆ，７０ｇが設けられ、さらに発音器７０ｈが設けられている。そして、屋内端末機６０から給油開始あるいはサービス機器の動作開始の作業報知信号を受けて、該当する計量機番号７０ｂ、オイル交換機番号７０ｃ、洗車機番号７０ｄの表示灯７０ｅ，７０ｆ，７０ｇのいずれかを点灯し、屋内端末機６０からの給油終了の作業報知信号あるいは動作終了の作業報知信号を受けて表示灯７０ｅ，７０ｆ，７０ｇを点滅し、計量機１０、洗車機４０またはオイル交換機５０特有の音声を発音器７０ｈより発声し、給油終了の作業報知信号あるいは作業終了の作業報知信号を受けて表示灯７０ｅ，７０ｆ，７０ｇを消灯し、発音器７０ｈの発声を停止ようになっている。
【００２１】
報知器８０は、携帯に便利なように、例えば、腕時計のように作業員の腕に着けることができる形状に形成されており、送信機６１から電波で送信されてくる情報をアンテナ８１を介して受信する受信部８２と、各部を制御するとともにデータ処理を行う中央処理部８３と、送信されてきた情報を一時的に格納するメモリ８４と、リセットボタンなどにより操作する操作部８５と、報知情報を表示する液晶などの表示部８６と、報知情報に基づいて発音する発音部８７などとを備えている。中央処理部８３は、計量機またはサービス機器ごとに報知情報を表示部８６に表示させ、発音部８７に発音させる制御を行う。
【００２２】
次に、報知器８０の報知を中心とする報知動作を説明する。図４は本発明実施形態の報知器の表示部の表示例を説明する図、図５は本発明実施形態の報知器の動作を説明するフローチャートである。
【００２３】
まず、報知器８０の受信部８２がアンテナ８１を介して送信機６１から計量機番号、洗車機番号及びオイル交換機番号に関する番号情報とともに、それぞれに対応して給油開始信号あるいは動作開始信号などを受信したとき（ＳＴ１）、中央制御部８３はその信号を取り込み番号ごとにメモリ８４に格納し、同時に表示部８６に計量機またはサービス機器ごとの番号と計量機では選択された油の種類、サービス機器では洗車またはオイルの表示を行う。例えば、図４に示すように、１番目の計量機１０でハイオクガソリン、３番目の計量機１０でレギュラガソリンの給油開始信号を受信したときには、「Ｎｏ．１  ハイオク」、「Ｎｏ．３レギュラ」と表示し、１番目の洗車機４０、２番目のオイル交換機５０の動作開始信号を受信したときには、「Ｎｏ．１  洗車」、「Ｎｏ．２  オイル」と表示する。これらの表示は、受信された順番に表示され、計量機１０の精算終了あるいはサービス機器の作業終了まで表示されている。
【００２４】
次に、番号情報とともに給油終了信号または動作終了信号を受信したときには（ＳＴ３）、その情報をメモリ８４の対応する番号情報に格納し、表示部８６の対応する表示に「終了」の文字を追加して点滅表示し、同時に発音部８７を発音する（ＳＴ４）。そして、操作部８５のリセットボタンを操作するか、あるいは１０秒程度の一定時間が経過したとき（ＳＴ）、発音部８７の発音を停止する（ＳＴ６）。例えば、図４に示すように、３番目の計量機１０は給油作業が終了し、２番目のオイル交換機５０は動作終了し、それぞれに「終了」が点滅表示されている。
【００２５】
次に、計量機１０の精算終了信号またはサービス機器の作業終了信号を受信したときには（ＳＴ７）、対応するメモリ８４に格納されていた情報が消去され、同時に表示部８６の表示が消滅する(ＳＴ８）。
【００２６】
上記構成の給油所用携帯報知装置は、計量機１０の給油開始信号、あるいはサービス機器の洗車機４０またはオイル交換機５０の動作開始信号を屋内端末機６０から送信機６１を介して電波で送信され、その信号を作業員が携帯する報知器８０が受信し表示部８６に報知することで、計量機１０またはサービス機器の使用を知ることができる。続いて、計量機１０が給油終了するか、あるいはいサービス機器が動作終了して送信機６１から送信され、報知器１０の表示部８６に終了が点滅表示され、同時に発音部８７で発音されることで、計量機１０の場合には作業員が給油終了で終了の作業の必要性を知り、あるいはサービス機器の動作終了で動作終了にともなう作業の必要性を知ることができる。さらに、続いて、計量機１０が精算終了するか、あるいはサービス機器の作業終了して表示部８６の表示が消滅することで計量機１０またはサービス機器が使用されていないことを知ることができる。したがって、給油所の作業員は報知器８０を携帯していれば、例え、給油所の屋外に配置されている状態報知器７０を見ることができない場所にいても、計量機の給油状態とサービス機器の作業状態とを容易に把握することができ、少ない作業員で作業することができる。
【００２７】
なお、上記実施形態において、報知器８０を腕時計のように作業員の腕に着けることができる例を説明したが、少なくとも携帯に便利な形状に形成されていればよい。また、計量機１０以外のサービス機器の種類あるいは数については、任意にでき実施形態に限定されない。さらに、表示部８７における表示は、少なくとも機器番号とともに状態表示ができればよく、また発音部８７以外に振動で報知する振動部を設けてもよい。
【００２８】
【発明の効果】
以上説明したように本発明の給油所用携帯報知装置は、送信機から送信される計量機の給油状態情報およびサービス機器のサービス状態情報を携帯性を有する報知器で状態報知するため、作業員が報知器を携帯していれば、給油所のどこにいても給油状態や作業状態を把握することが容易にでき、少ない作業員で作業することができる。
【図面の簡単な説明】
【図１】本発明実施形態の給油所の設備の一部を断面で示す斜視図である。
【図２】本発明実施形態の給油所の全体を説明する平面図である。
【図３】本発明実施形態の報知器の構成を説明するブロック図である。屋外端末機の制御部のフローチャートである。
【図４】本発明実施形態の報知器の表示部における表示例を説明する図である。
【図５】本発明実施形態の報知器の動作を説明するフローチャートである。
【符号の説明】
１  進入路
２  給油エリア
３  退出路
４  信号線
５，６  サービスエリア
１０  計量機
１０ａ  給油管
１０ｂ  ポンプ
１０ｃ  流量計
１０ｄ  給油ノズル
１０ｅ  給油ホース
１０ｆ  ノズル掛け
１０ｇ  ノズルスイッチ
１０ｈ  給油ランプ
１０ｉ  給油畳表示器
１０ｊ  制御部
２０  屋外端末機
２０ａ  データ入出力機
２０ｂ  自動精算機
２０ｃ  制御部
２０ｄ  キーボード
２０ｅ  貨幣投入口
２０ｆ  釣銭放出口
２０ｇ  プリンタ
３０  走行可否表示機
３０ａ  支柱
３０ｂ  表示体
４０  洗車機
４０ａ  洗車機本体
４０ｂ  レール
４０ｃ  キーボード
４０ｄ  制御部
５０  オイル交換機
５０ａ  交換機本体
５０ｂ  ホース
５０ｃ  キーボード
５０ｄ  制御部
６０  屋内端末機
６１  送信機
６２  アンテナ
６０ａ  キーボード
６０ｂ  表示器
６０ｃ  プリンタ
６０ｄ  制御部
７０  状態報知器
７０ａ  ケース
７０ｂ  計量機番号
７０ｃ  オイル交換機番号
７０ｄ  洗車機番号
７０ｅ，７０ｆ，７０ｇ  表示灯
７０ｈ  発音器
８０  報知器
８１  アンテナ
８２  受信部
８３  中央制御部
８４  メモリ
８５  操作部
８６  表示部
８７  発音部
【図１】
0003761016.tif 000002
【図２】
0003761016.tif 000003
【図３】
0003761016.tif 000004
【図４】
0003761016.tif 000005
【図５】
0003761016.tif 000006